(57)【特許請求の範囲】
【請求項１】
第１の色域と前記第１の色域よりも広い第２の色域とを有する表示手段に適用される表示制御システムであって、
アクティブになっているアプリケーションに応じて色空間を決定する決定部と、
決定された色空間に基づいて前記表示手段に対する表示処理を行う表示制御部と、
を備え、
前記決定部は、アプリケーションと色空間とが対応付けられた対応情報に基づいて、アクティブになっているアプリケーションに応じた色空間を決定し、
前記対応情報において、アプリケーションの実行中において撮影手段を使用するアプリケーションには、色空間としてｓＲＧＢが対応付けられている表示制御システム。
【請求項２】
前記表示制御部は、前記表示手段の表示に用いられている色空間が、前記決定部において決定された色空間と異なる色空間である場合には、前記決定部において決定された色空間へ前記表示手段で表示させる色空間を切り替える請求項１に記載の表示制御システム。
【請求項３】
前記表示制御部は、各色空間に対応したルックアップテーブルを切り替えることで色空間を切り替える請求項２に記載の表示制御システム。
【請求項４】
前記表示手段の表示に用いられている色空間と、アクティブになっているアプリケーションの色空間とが異なる場合に、特定の色に関する色域のＲＧＢ値を補正する補正部を備え、
前記表示制御部は、前記特定の色を表示させる場合に、補正されたＲＧＢ値を用いる請求項１から３のいずれか１項に記載の表示制御システム。
【請求項５】
前記補正部は、肌色に関する色域のＲＧＢ値を、所定の補正用ＲＧＢ値を用いて補正する請求項４に記載の表示制御システム。
【請求項６】
前記表示手段で表示させる色空間を切り替える場合に、前記表示手段の利用者に切り替えを行うか否かの問合せを行う問合せ部を備える請求項１から５のいずれか１項に記載の表示制御システム。
【請求項７】
第１の色域と前記第１の色域よりも広い第２の色域とを有する表示手段に適用される表示制御方法であって、
アプリケーションと色空間とが対応付けられており、アプリケーションの実行中において撮影手段を使用するアプリケーションには、色空間としてｓＲＧＢが対応付けられている対応情報に基づいて、アクティブになっているアプリケーションに応じて色空間を決定する決定工程と、
決定された色空間に基づいて前記表示手段に対する表示処理を行う表示工程と、
をコンピュータが実行する表示制御方法。
【発明の詳細な説明】
【技術分野】
【０００１】
本発明は、表示制御システム及び表示制御方法に関するものである。
【背景技術】
【０００２】
ノートブック型パーソナルコンピュータ（ＰＣ）等の情報処理装置では、カメラが搭載されている。情報処理装置に搭載されるカメラは、例えば情報処理装置の使用者を撮影するために用いられている（例えば、特許文献１）。
【先行技術文献】
【特許文献】
【０００３】
【特許文献１】特開２０１２−１１９７７４号公報
【発明の概要】
【発明が解決しようとする課題】
【０００４】
情報処理装置においてカメラを使用する場合には、ディスプレイとの相性が重要となる。一般的に、ＰＣにおけるカメラは色空間をｓＲＧＢとして設定がされている。しかしながら、ｓＲＧＢよりも広い色域を有するディスプレイ（例えば、Ｈｉｇｈ−Ｇａｍｕｔ対応パネル）が開発されている。このようなディスプレイでは、Ａｄｏｂｅ  ＲＧＢやＤＣＩ  Ｐ３等のｓＲＧＢとは異なる色空間が設定可能となっている場合がある。カメラとディスプレイとで色空間が異なると、正確に色が再現されない可能性がある。このような場合には、表示品質が低下してしまう恐れもある。例えば、カメラとディスプレイとで色空間が異なると、肌色の赤が強く表示される場合もある。
【０００５】
ｓＲＧＢよりも広い色域を有するディスプレイでは、色空間の切り替えが可能な場合があるが、ユーザが手動で行わなければならず手間がかかっていた。
【０００６】
本発明は、このような事情に鑑みてなされたものであって、表示品質を向上させることのできる表示制御システム及び表示制御方法を提供することを目的とする。
【課題を解決するための手段】
【０００７】
本発明の第一態様は、第１の色域と前記第１の色域よりも広い第２の色域とを有する表示手段に適用される表示制御システムであって、アクティブになっているアプリケーションに応じて色空間を決定する決定部と、決定された色空間に基づいて前記表示手段に対する表示処理を行う表示制御部と、を備え、前記決定部は、アプリケーションと色空間とが対応付けられた対応情報に基づいて、アクティブになっているアプリケーションに応じた色空間を決定し、前記対応情報において、アプリケーションの実行中において撮影手段を使用するアプリケーションには、色空間としてｓＲＧＢが対応付けられている表示制御システムを提供する。
【０００８】
本発明の参考例は、第１の色域と前記第１の色域よりも広い第２の色域とを有する表示手段に適用される表示制御システムであって、撮影手段の使用状態に応じて色空間を決定する決定部と、決定された色空間に基づいて前記表示手段に対する表示処理を行う表示制御部と、を備える表示制御システムを提供する。
【０００９】
本発明の第二態様は、第１の色域と前記第１の色域よりも広い第２の色域とを有する表示手段に適用される表示制御方法であって、アプリケーションと色空間とが対応付けられており、アプリケーションの実行中において撮影手段を使用するアプリケーションには、色空間としてｓＲＧＢが対応付けられている対応情報に基づいて、アクティブになっているアプリケーションに応じて色空間を決定する決定工程と、決定された色空間に基づいて前記表示手段に対する表示処理を行う表示工程と、をコンピュータが実行する表示制御方法を提供する。
【００１０】
本発明の参考例は、第１の色域と前記第１の色域よりも広い第２の色域とを有する表示手段に適用される表示制御方法であって、撮影手段の使用状態に応じて色空間を決定する決定工程と、決定された色空間に基づいて前記表示手段に対する表示処理を行う表示工程と、をコンピュータが実行する表示制御方法を提供する。
【発明の効果】
【００１１】
本発明によれば、表示品質を向上させることができるという効果を奏する。
【図面の簡単な説明】
【００１２】
【図１】本発明の第１実施形態に係る情報処理装置の概略外観図である。
【図２】本発明の第１実施形態に係る情報処理装置のハードウェア構成について示した図である。
【図３】各色空間を示した図である。
【図４】本発明の第１実施形態に係る表示制御システムが備える機能の一例を示した機能ブロック図である。
【図５】本発明の第１実施形態に係る表示制御システムによって実行される色空間切替処理に関するフローチャートである。
【図６】本発明の第２実施形態に係る表示制御システムによって実行される色空間切替処理に関するフローチャートである。
【図７】本発明の第２実施形態に係る表示制御システムによって実行される色空間切替処理に関するフローチャートである。
【発明を実施するための形態】
【００１３】
〔第１実施形態〕
以下に、本発明に係る表示制御システム及び表示制御方法の第１実施形態について、図面を参照して説明する。表示制御システム３０は、情報処理装置に適用される。本実施形態では、情報処理装置をノートＰＣとして説明するが、情報処理装置としては、ノートＰＣに限られず、例えば、デスクトップ型ＰＣ、タブレット、スマートフォン等の情報処理端末等であってもよい。表示制御システム３０が適用される情報処理装置としては、情報処理を行い表示手段に表示を行わせることが可能な装置であれば、幅広く適用可能である。なお、表示手段については、情報処理装置に一体的に設けられてもよいし、情報処理装置とは独立して設けられ情報処理装置によって表示が行われることとしてもよい。
【００１４】
図１は、本発明の第１実施形態に係る情報処理装置１の概略外観図である。
【００１５】
情報処理装置１は、図１に示すように、一例として、いずれも略直方体である本体側筐体２及びディスプレイ側筐体３を備える。
【００１６】
本体側筐体２は、入力部４を備える。入力部４は、使用者が入力操作を行うための使用者インターフェースであり、文字、コマンド等を入力する各種キーより構成されるキーボードや、画面上のカーソルを移動させたり、各種メニューを選択するタッチパッド等を備えている。
【００１７】
ディスプレイ側筐体３は、画像を表示する表示部５を備える。本実施形態において、表示部５は、ＬＣＤ（Ｌｉｑｕｉｄ  Ｃｒｙｓｔａｌ  Ｄｉｓｐｌａｙ）を例示するが、ＬＣＤに限らず有機ＥＬ（Ｅｌｅｃｔｒｏｌｕｍｉｎｅｓｃｅｎｃｅ）ディスプレイ等の他の表示機器、又はタッチパネルとされてもよい。ＬＣＤは、入力される表示データに応じた各種情報を表示画面に表示する。
【００１８】
また、ディスプレイ側筐体３は、画像を取得するためのカメラ７及び光源８を備える。カメラ７は、ディスプレイ側筐体３においてＬＣＤの表示面側でその上方の略中央に配置され、前方の被写体（例えば、利用者の顔）を撮像可能とされている。光源８はディスプレイ側筐体３においてＬＣＤの表示面側でその上方の略中央に配置され、前方の被写体に対して、カメラ７の撮影に係る補助光を発する。
【００１９】
本体側筐体２及びディスプレイ側筐体３は、それぞれの端部で左右の一対の連結部６によって連結されている。連結部６は、ヒンジであり、本体側筐体２及びディスプレイ側筐体３を開閉自在に支持している。
【００２０】
図２は、本発明の第１実施形態に係る情報処理装置１のハードウェア構成を示す図である。情報処理装置１は、例えば、ＣＰＵ（Ｃｅｎｔｒａｌ  Ｐｒｏｃｅｓｓｉｎｇ  Ｕｎｉｔ）２１と、メインメモリ２２と、記憶部２３と、表示部５と、入力部４と、通信部２６と、カメラ７と、光源８とを備えている。これら各部は直接的にまたはバス２８を介して間接的に相互に接続されており互いに連携して各種処理を実行する。
【００２１】
ＣＰＵ２１は、例えば、バス２８を介して接続された記憶部２３に格納されたＯＳ（Ｏｐｅｒａｔｉｎｇ  Ｓｙｓｔｅｍ）により情報処理装置１全体の制御を行うとともに、記憶部２３に格納された各種プログラムを実行することにより各種処理を実行する。
【００２２】
メインメモリ２２は、キャッシュメモリ、ＲＡＭ（Ｒａｎｄｏｍ  Ａｃｃｅｓｓ  Ｍｅｍｏｒｙ）等の書き込み可能なメモリで構成される。メインメモリ２２は、ＣＰＵ２１の実行プログラムの読み出し、実行プログラムによる処理データの書き込み等を行う作業領域として利用される。
【００２３】
記憶部２３は、例えば、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、フラッシュメモリ等であり、例えば、Ｗｉｎｄｏｗｓ（登録商標）、ｉＯＳ（登録商標）、Ａｎｄｒｏｉｄ（登録商標）等の情報処理装置１全体の制御を行うためのＯＳ、周辺機器類をハードウェア操作するための各種ドライバ、特定業務に向けられたアプリケーション、及び各種データやファイル等を格納する。また、記憶部２３には、各種処理を実現するためのプログラムや、各種処理を実現するために必要とされる各種データが格納されている。
【００２４】
表示部５は、表示手段であり、例えばＬＣＤでありＣＰＵ２１の制御に従って表示を行う。
【００２５】
なお、本実施形態では、表示手段は表示部５として情報処理装置１に設けられることしているが、表示手段については情報処理装置１と独立した装置として設けられてもよい。また、プロジェクターのように投影により表示を行うこととしてもよい。
【００２６】
表示部５は、第１の色域（基準色域）と第１の色域よりも広い第２の色域とに対応している。換言すると、表示部５は、複数の色域を有している。例えば、表示部５は、ｓＲＧＢよりも広い色域（広色域）を有している。色域とは、ディスプレイで表示可能（再現可能）な色の範囲である。ｓＲＧＢとは、国際電気標準会議（ＩＥＣ）が定めた国際標準規格の色空間である。国際照明委員会が定めたＸＹＺ表色系のＸＹ色度図上（図３）において、ｓＲＧＢは図３に示す色域となる。表示部５は、図３に示すようなｓＲＧＢよりも広い色域に対応している。ｓＲＧＢよりも広い色域とは、図３に示すようなＸＹ色度図上において、ｓＲＧＢの色空間よりも広い色域を有する色空間であり、例えば、Ａｄｏｂｅ  ＲＧＢやＤＣＩ  Ｐ３等である。本実施形態では、表示部５は、ｓＲＧＢ及びＡｄｏｂｅに対応しているものとする。
【００２７】
すなわち、表示部５は、後述する表示制御システム３０における表示制御部３２によって表示処理が行われており、該表示処理は、適切に決定された色空間に基づいて行われている。
【００２８】
入力部４は、例えば、キーボード、マウス等であり、使用者が入力操作を行うのに使用される。なお、表示処理に係る色空間については、入力部４を利用して使用者によって選択されることとしてもよい。
【００２９】
通信部２６は、ネットワークに接続して他の情報処理装置１と通信を行い情報の送受信を行うためのインターフェースである。
【００３０】
カメラ７は、例えば、使用者からの入力操作等に基づいてＣＰＵ２１によって制御される。
【００３１】
カメラ（撮影手段）７は、撮影が可能であって、レンズやレンズ駆動部、イメージセンサ等を有している。レンズは、被写体からの光を取り込み、イメージセンサに被写体像を結像させる。イメージセンサは、レンズにより取り込まれた光を信号電荷に変換し、被写体像を撮像する。イメージセンサからの画像信号は、例えばＩＳＰにより信号処理（画像処理）が行われる。
【００３２】
光源８は、カメラ７による撮影に係る補助光を発し、ＣＰＵ２１によって制御される。
【００３３】
図４は、表示制御システム３０が備える機能の一例を示した機能ブロック図である。図４に示すように、表示制御システム３０は、決定部３１と、表示制御部３２と、補正部３３と、問合せ部３４とを主な構成として備えている。
【００３４】
各部によって実現される後述の各種処理は、例えば、情報処理装置１のＣＰＵ２１によって実行される。すなわち、情報処理装置１のＣＰＵ２１が記憶部２３に記憶されているプログラムをメインメモリ２２に読み出して実行することにより実現される。メインメモリ２２又は記憶部２３に記憶されているプログラムは、例えば、所定のサーバからダウンロードして、または、所定の記録媒体からインストールされて保存されたプログラムでもよく、製造時に記憶部２３に格納されているプログラムでもよい。後述の情報処理装置１における各種処理はプログラムの機能により実現される。
【００３５】
決定部３１は、アクティブになっているアプリケーションに応じて色空間を決定する。具体的には、アプリケーションと色空間とが対応付けられた対応情報に基づいて、アクティブになっているアプリケーションに応じた色空間を決定する。アクティブとは、アプリケーションが起動しており、アクティブウィンドウ（利用者が操作を行える状態にあるウィンドウ）となっていることである。マルチウィンドウ環境である場合には、最前面に表示されているウィンドウがアクティブウィンドウである。本実施形態では、決定部３１は、対応情報に基づいて色空間を決定する場合について説明するが、アプリケーションが対応する色空間が特定できれば、対応情報を用いる場合に限定されない。
【００３６】
対応情報とは、情報処理装置１において起動されるアプリケーションと、該アプリケーションが対応している色空間とが対応付けられている情報である。アプリケーションが対応している色空間とは、該アプリケーションを表示部５に表示する場合に最も適した（色再現性の高い）色空間である。例えば、高い色再現性を要求されるような場合には、ｓＲＧＢよりも広い色域である色空間（例えば、Ａｄｏｂｅ  ＲＧＢ）に適応するようにアプリケーションが設計される。対応情報は、メーカ等によって予め設定されていてもよいし、情報処理装置１を使用するユーザによって設定されてもよい。
【００３７】
また、対応情報において、カメラ（撮影手段）７を使用するアプリケーションには、色空間としてｓＲＧＢが対応付けられることとしてもよい。ＰＣの分野では、カメラ７は一般的にｓＲＧＢに設定されている。このため、カメラ７を使用するアプリケーションについては、カメラ７で撮影した画像や映像を適切な色空間で表示部５に表示するために、ｓＲＧＢを対応づける。カメラ７を使用するアプリケーションとｓＲＧＢとの対応付けについては、例えば、アプリケーション情報（例えばアプリケーションの名称等）や、アプリケーションの使用中にカメラ７がＯＮ状態となっている情報や、アプリケーションの使用中にカメラ７から撮影データが出力されている情報等のカメラ７を使用しているか否かを判定可能な情報に基づいて行われる。なお、カメラ７を使用するアプリケーションとｓＲＧＢとの対応付けについては情報処理装置１の使用者により設定されてもよい。
【００３８】
例えば、対応情報として、アプリＡ及びアプリＣに色空間としてｓＲＧＢが対応付けられており、アプリＢに色空間としてＡｄｏｂｅ  ＲＧＢが対応付けられている場合、決定部３１は、アプリＡがアクティブであれば色区間としてｓＲＧＢを特定する。また、決定部３１は、アプリＢがアクティブであれば色区間としてＡｄｏｂｅ  ＲＧＢを特定する。
【００３９】
表示制御部３２は、決定された色空間に基づいて表示部（表示手段）５に対する表示処理を行う。表示部５は複数の色空間に対応しているため、表示制御部３２は、決定された色空間に基づいて表示処理を行う。すなわち、表示制御部３２は、表示対象のデータに対して所定の色空間に基づいて表示処理を行い、表示部５に表示させる。
【００４０】
表示制御部３２は、表示部５の表示に用いられている色空間が、決定部３１において決定された色空間と異なる色空間である場合には、決定部３１において決定された色空間へ表示部５で表示させる色空間を切り替える。例えば、表示部５においてｓＲＧＢが設定されている場合に、決定部３１においてＡｄｏｂｅ  ＲＧＢが決定された場合には、色空間をｓＲＧＢからＡｄｏｂｅ  ＲＧＢへ切り替えを行う。
【００４１】
色空間の切り替えについては、例えば、各色空間に対応したルックアップテーブルを切り替えることで行われる。具体的には、表示制御部３２には、予め各色空間に対応して各色空間を表示するためのルックアップテーブルが設定されており、ルックアップテーブルを切り替えることで表示する色空間を切り替える。なお、色空間を切り替える方法については上記に限定されない。
【００４２】
なお、表示制御部３２は、アクティブになっているアプリケーションが終了や非アクティブとなった場合には、切替前の色空間に戻す処理や、他のアクティブとなっているアプリケーションに応じた色空間に切り替えを行う。
【００４３】
補正部３３は、表示部５の表示に用いられている色空間と、アクティブになっているアプリケーションの色空間とが異なる場合に、特定の色に関する色域のＲＧＢ値を補正する。対応情報に対応付け情報がない等の理由により、アプリケーションに対応して色空間を適切に決定できない場合がある。このような場合には、表示させたいコンテンツの色空間と表示部５に表示される色空間とが異なる場合がある。そこで、補正部３３では、特定の色に関する色域のＲＧＢ値を補正することによって、色再現性を向上させる。なお、このような場合には表示制御部３２は特定の色を表示させる場合に補正されたＲＧＢ値を用いる。
【００４４】
特定の色に関する色域とは、色空間が異なることによって表示される色の表示品質が低下してしまう可能性のある色である。例えば、該色とは肌色である。なお、特定の色に関する色域では、特定の色を含んだ領域（特定の色に近い色を含む）として設定されることが好ましい。
【００４５】
ＲＧＢ値の補正については、特定の色に関する色域のＲＧＢ値を、所定の補正用ＲＧＢ値を用いて補正する。具体的には、Ｒ（赤）、Ｇ（緑）、Ｂ（青）の各値に対して所定の補正値（Ｒ補正値、Ｇ補正値、Ｂ補正値）を加算や減算等することによって行われる。
【００４６】
例えば、ｓＲＧＢに対応したアプリケーションをＡｄｏｂｅ  ＲＧＢで表示させる場合には、肌色が赤く表示される場合がある。このような場合には、ｓＲＧＢ空間におけるＲＧＢ値において、Ｒ値から所定のＲ補正値を減算して補正を行う。具体的には、ｓＲＧＢ空間におけるＲＧＢ値が、Ｒ：Ｇ：Ｂ＝α：β：γである場合には、補正用ＲＧＢ値を、Ｒ：Ｇ：Ｂ＝δ：０：０として、ＲＧＢ値をα−δ：β：γと補正する。また、ｓＲＧＢ空間におけるＲＧＢ値において、Ｇ値やＢ値に所定のＧ補正値やＢ補正値を加算して補正を行うこととしてもよい。このように、特定の色に関する色域のＲＧＢ値を補正するため、特定の色に関する色域のみを対象とすればよく処理を簡略化することができる。
【００４７】
問合せ部３４は、表示部５で表示させる色空間を切り替える場合に、情報処理装置１の利用者に切り替えを行うか否かの問合せを行う。例えば、問合せ部３４は、表示部５で表示させる色空間を切り替える場合に、色空間を変更した方が色表現が向上する旨を表示し、利用者に変更するか否かを選択させる。そして、利用者が変更に同意した場合には、表示制御部３２において色空間の切り替えを行う。
【００４８】
なお、問合せ部３４における切り替えの通知方法については、音など上記の方法に限定されず適用することが可能である。
【００４９】
次に、本実施形態に係る表示制御システム３０によって実行される色空間切替処理について説明する。図５は、本実施形態に係る表示制御システム３０によって行われる処理を示すフローチャートである。図５に示した処理フローは、情報処理装置１が起動している場合において、所定の制御周期で繰り返し実行される。
【００５０】
まず、アプリケーションがアクティブとなった否かを判定する（Ｓ１０１）。アプリケーションがアクティブとなっていない場合（Ｓ１０１のＮＯ判定）には、Ｓ１０１を繰り返し実行する。
【００５１】
アプリケーションがアクティブとなった場合（Ｓ１０１のＹＥＳ判定）には、アクティブとなったアプリケーションに対応した色空間が設定されているか否かを判定する（Ｓ１０２）。
【００５２】
アプリケーションに対応した色空間が設定されている場合（Ｓ１０２のＹＥＳ判定）には、表示部５の色空間をアプリケーションに対応した色区間とする（Ｓ１０３）。
【００５３】
アプリケーションに対応した色空間が設定されていない場合（Ｓ１０２のＮＯ判定）には、表示部５の色空間を予め設定されている（ユーザが設定した）色区間とする（Ｓ１０４）。
【００５４】
以上説明してきたように、本実施形態に係る表示制御システム及び表示制御方法によれば、アクティブになっているアプリケーションに応じて色空間を決定することによって、アプリケーションに適した色空間により表示部５に対する表示処理を行うことが可能となる。このため、表示品質を向上させることが可能となる。
【００５５】
表示部５がｓＲＧＢよりも広い色域を有しおり、異なる色空間に対応している場合であっても、アプリケーションに応じて適切に色空間を設定することが可能となる。このため、色再現性の低下を抑制することができる。
【００５６】
〔第２実施形態〕
次に、本発明の第２実施形態に係る表示制御システム及び表示制御方法について説明する。
上述した第１実施形態では、アプリケーションに応じて色空間を決定する場合について説明したが、本実施形態では、撮影手段の使用状態に応じて色空間を決定する場合について説明する。以下、本実施形態に係る表示制御システム及び表示制御方法について、第１実施形態と異なる点について主に説明する。
【００５７】
ｓＲＧＢは、国際電気標準会議（ＩＥＣ）が定めた国際標準規格の色空間であるため、ＰＣのカメラ７は一般的にｓＲＧＢが設定されている。しかしながら、ＰＣのディスプレイについては、ｓＲＧＢよりも広い色域を有する場合があり、カメラ７とディスプレイとの間で色空間が異なる場合がある。
【００５８】
そこで、決定部３１は、撮影手段の使用状態に応じて色空間を決定する。具体的には、決定部３１は、情報処理装置１に設けられたカメラ７の使用状態に応じて、色空間を決定する。使用状態とは、ＯＮ／ＯＦＦ状態（撮影を行っている状態か否か）である。使用状態については、カメラ７が稼働しているか否かで判定してもよいし、カメラ７から画像や映像の情報が出力されているか否かで判定してもよい。すなわち、使用状態とは、カメラ７で撮影した情報が、表示部５に表示されている状態であるか否か表している。なお、本実施形態では、撮影手段として、情報処理装置１に設けられたカメラ７を例示しているが、撮影が可能な手段であれば、情報処理装置１と独立して設けられていてもよい。
【００５９】
すなわち、色空間を決定する決定部３１でカメラ７の使用状態により色空間を決定するため、カメラ７がＯＮ状態であるときに、一般的にカメラ７に設定されているｓＲＧＢ合わせて、表示部５の色空間をｓＲＧＢとすることで、カメラ７の撮影に係る色空間と、表示部５の表示に係る色空間とを整合して、正しい色表現とすることが可能となる。
【００６０】
なお、本実施形態では、カメラ７が一般的にｓＲＧＢであることを前提として、カメラ７が使用されている場合に色空間をｓＲＧＢと特定しているが、カメラ７に設定されている色空間を判定することができれば、該判定された色空間を特定することとしてもよい。
【００６１】
表示制御部３２は、決定部３１で決定された色空間に基づいて表示部５に対する表示処理を行う。すなわち、カメラ７がＯＮ状態である場合にはｓＲＧＢで表示処理を行うこととなる。
【００６２】
次に、本実施形態に係る表示制御システム３０によって実行される色空間切替処理について説明する。図６は、本実施形態に係る表示制御システム３０によって行われる処理を示すフローチャートである。図６に示した処理フローは、情報処理装置１が起動している場合において、所定の制御周期で繰り返し実行される。
【００６３】
まず、カメラ７がＯＮとなった否かを判定する（Ｓ２０１）。
【００６４】
カメラ７がＯＮとなった場合（Ｓ２０１のＹＥＳ判定）には、表示部５の色空間をｓＲＧＢとする（Ｓ２０２）。
【００６５】
カメラ７がＯＮでない場合（Ｓ２０１のＮＯ判定）には、表示部５の色空間を予め設定されている（ユーザが設定した）色区間とする（Ｓ２０３）。
【００６６】
このように、ＰＣのカメラ７は一般的にｓＲＧＢに設定されていることを利用することで、カメラ７の使用状態に応じて表示部５の色空間を適切に設定することが可能となる。
【００６７】
なお、上記例では、撮影手段として、情報処理装置１に設けられたカメラ７を対象としていたが、情報処理装置１とは独立して設けられた撮影手段や、通信を行っている他の情報処理装置１の撮影手段を対象としてもよい。
【００６８】
また、決定部３１は、撮影手段が設けられた情報処理装置１がＰＣか否か判定して色空間を判定することも可能である。例えば、ＶｏＩＰ等の通信を行っている相手方の情報処理装置１がＰＣか否か判定することにより、より適切に色空間を設定することが可能となる。すなわち、撮影手段の使用状態のみではなく、相手方の情報処理装置１の情報にも基づいて色空間を設定してもよい。図７は、色空間切替処理を示すフローチャートである。図７に示した処理フローは、情報処理装置１が起動している場合において、所定の制御周期で繰り返し実行される。
【００６９】
まず、カメラ７がＯＮとなった否かを判定する（Ｓ２０１）。
【００７０】
カメラ７がＯＮでない場合（Ｓ２０１のＮＯ判定）には、表示部５の色空間を予め設定されている（ユーザが設定した）色区間とする（Ｓ２０３）。
【００７１】
カメラ７がＯＮとなった場合（Ｓ２０１のＹＥＳ判定）には、通信相手の情報処理装置１がＰＣか否かを判定する（Ｓ３０２）。通信相手の情報処理装置１がＰＣか否かについては、送信されてくる情報から判定可能であれば該情報から判定してもよいし、相手方の情報処理装置１においてＰＣであることを示す情報を送信可能であれば送信することとしてもよい。また、情報処理装置１の使用者が、相手方の情報処理装置１の種類を入力することとしてもよい。
【００７２】
なお、Ｓ３０２の処理は、ＰＣに設けられたカメラ７であれば一般的にｓＲＧＢが設定されていることを利用するものである。このため、相手方の情報処理装置１の撮影手段の色空間の種類や、送信されるデータの色空間の種類が判定することが可能であれば、色空間を判定することとしてもよい。
【００７３】
通信相手の情報処理装置１がＰＣである場合（Ｓ３０２のＹＥＳ判定）には、表示部５の色空間をｓＲＧＢとする（Ｓ３０３）。
【００７４】
通信相手の情報処理装置１がＰＣでない場合（Ｓ３０２のＮＯ判定）には、表示部５の色空間を予め設定されている（ユーザが設定した）色区間とする（Ｓ３０４）。
【００７５】
このように、通信相手方の情報処理装置１がＰＣか否かを判定することによって、より効果的に、色空間の整合性を合わせ、色再現性を向上させることが可能となる。
【００７６】
以上説明したように、本実施形態に係る表示制御システム及び表示制御方法によれば、カメラ７の使用状態に応じて色空間を決定し、表示部５の表示処理を行うため、ＰＣのカメラ７は一般的にｓＲＧＢが設定されていることを利用して、カメラ７の撮影に係る色空間と、表示部５の表示に係る色空間とを合わせ、正しい色表現とすることが可能となる。
【００７７】
本発明は、上述の実施形態のみに限定されるものではなく、発明の要旨を逸脱しない範囲において、種々変形実施が可能である。なお、各実施形態を組み合わせることも可能である。
【符号の説明】
【００７８】
１    ：情報処理装置
２    ：本体側筐体
３    ：ディスプレイ側筐体
４    ：入力部
５    ：表示部
６    ：連結部
７    ：カメラ
８    ：光源
２１  ：ＣＰＵ
２２  ：メインメモリ
２３  ：記憶部
２６  ：通信部
２８  ：バス
３０  ：表示制御システム
３１  ：決定部
３２  ：表示制御部
３３  ：補正部
３４  ：問合せ部
【図１】
0006868068.tif 000002
【図２】
0006868068.tif 000003
【図３】
0006868068.tif 000004
【図４】
0006868068.tif 000005
【図５】
0006868068.tif 000006
【図６】
0006868068.tif 000007
【図７】
0006868068.tif 000008